(57)【要約】【課題】１台以上の放射線撮影装置を備える放射線撮影システムにおいて効率的に放射線撮影装置を使用するのに有利な技術を提供する。【解決手段】放射線画像を取得するための１台以上の放射線撮影装置と、１台以上の放射線撮影装置を制御するための複数の制御端末と、を含む放射線撮影システムであって、放射線撮影システムは、１台以上の放射線撮影装置の予約状況を管理するための予約管理部をさらに含み、予約管理部は、１台以上の放射線撮影装置の稼働状況を確認し、稼働状況と、１台以上の放射線撮影装置の使用が予約された日時および撮影条件を含む予約情報と、に基づいて、１台以上の放射線撮影装置が予約された日時に使用できるか否かを報知する。【選択図】図１
2019187520.tif 000002
【特許請求の範囲】
【請求項１】
放射線画像を取得するための１台以上の放射線撮影装置と、前記１台以上の放射線撮影装置を制御するための複数の制御端末と、を含む放射線撮影システムであって、
前記放射線撮影システムは、前記１台以上の放射線撮影装置の予約状況を管理するための予約管理部をさらに含み、
前記予約管理部は、
前記１台以上の放射線撮影装置の稼働状況を確認し、
前記稼働状況と、前記１台以上の放射線撮影装置の使用が予約された日時および撮影条件を含む予約情報と、に基づいて、前記１台以上の放射線撮影装置が予約された日時に使用できるか否かを報知することを特徴とする放射線撮影システム。
【請求項２】
前記予約管理部は、前記稼働状況と前記予約情報とに基づいて、前記１台以上の放射線撮影装置が予約された日時に使用できるか否かを判定し、判定した結果をユーザに報知することを特徴とする請求項１に記載の放射線撮影システム。
【請求項３】
前記予約管理部は、前記１台以上の放射線撮影装置が複数の放射線撮影装置の場合、前記予約情報に基づいて、前記複数の放射線撮影装置のうち第１の放射線撮影装置の予約の開始時刻または前記開始時刻よりも前に、前記第１の放射線撮影装置の稼働状況を確認することを特徴とする請求項１または２に記載の放射線撮影システム。
【請求項４】
前記予約管理部は、前記１台以上の放射線撮影装置が予約された日時に使用できるか否かを判定した判定結果を、前記複数の制御端末のうち少なくとも前記第１の放射線撮影装置を予約している第１の制御端末に出力し、
前記第１の制御端末は、前記判定結果をユーザに報知することを特徴とする請求項３に記載の放射線撮影システム。
【請求項５】
前記予約情報は、ユーザが前記複数の制御端末のそれぞれを操作する際に登録するユーザ情報をさらに含み、
前記予約管理部は、前記複数の制御端末のうち前記ユーザ情報と一致するユーザ情報が登録された制御端末を前記第１の制御端末と判定することを特徴とする請求項４に記載の放射線撮影システム。
【請求項６】
前記予約管理部は、前記複数の制御端末のうち前記第１の放射線撮影装置の予約を行った制御端末を前記第１の制御端末と判定することを特徴とする請求項４に記載の放射線撮影システム。
【請求項７】
前記予約管理部は、前記判定において前記第１の放射線撮影装置が使用できないと判定した場合、前記複数の放射線撮影装置のうち前記撮影条件に従う撮影が行える放射線撮影装置を検索し、前記撮影条件に従う撮影が行える放射線撮影装置の情報を前記第１の制御端末に出力し、
前記第１の制御端末は、前記撮影条件に従う撮影が行える放射線撮影装置をユーザに報知することを特徴とする請求項４乃至６の何れか１項に記載の放射線撮影システム。
【請求項８】
前記予約管理部は、前記第１の放射線撮影装置の予約の開始時刻または前記開始時刻よりも前に前記第１の放射線撮影装置の稼働状況を確認した際に、前記第１の制御端末とは別の制御端末が前記第１の放射線撮影装置を制御している場合、前記別の制御端末に次の予約があることを示す情報を出力し、
前記別の制御端末は、次の予約があることをユーザに報知することを特徴とする請求項４乃至７の何れか１項に記載の放射線撮影システム。
【請求項９】
前記予約管理部は、前記別の制御端末が前記第１の放射線撮影装置を制御し、かつ、前記別の制御端末に次の予約があることを示す情報を出力してから所定の時間が経過までの間に前記別の制御端末が前記第１の放射線撮影装置の制御を中止しない場合、前記第１の放射線撮影装置が使用できないと判定することを特徴とする請求項８に記載の放射線撮影システム。
【請求項１０】
前記予約管理部は、前記開始時刻から所定の時間が経過するまでの間に、前記第１の制御端末が前記第１の放射線撮影装置の制御を開始しない場合、前記第１の制御端末に前記開始時刻を過ぎていることを示す情報を出力し、
前記第１の制御端末は、前記開始時刻を過ぎていることをユーザに報知することを特徴とする請求項４乃至９の何れか１項に記載の放射線撮影システム。
【請求項１１】
前記予約管理部は、前記開始時刻から所定の時間が経過するまでの間に、前記第１の制御端末が前記第１の放射線撮影装置の制御を開始しない場合、前記第１の放射線撮影装置の予約を前記予約情報から削除することを特徴とする請求項４乃至１０の何れか１項に記載の放射線撮影システム。
【請求項１２】
前記予約管理部は、前記予約情報に基づいて、前記第１の放射線撮影装置の予約の終了時刻または前記終了時刻よりも前に、前記複数の制御端末のうち前記第１の放射線撮影装置を制御している制御端末に、前記終了時刻の情報を出力し、
前記第１の放射線撮影装置を制御している制御端末は、前記終了時刻の情報をユーザに報知することを特徴とする請求項３乃至１１の何れか１項に記載の放射線撮影システム。
【請求項１３】
前記予約管理部による前記第１の放射線撮影装置の前記稼働状況の確認は、前記第１の放射線撮影装置の内蔵バッテリの充電状況の確認を含み、
前記予約管理部は、前記充電状況と前記撮影条件とに基づいて前記第１の放射線撮影装置が使用できるか否かを判定することを特徴とする請求項３乃至１２の何れか１項に記載の放射線撮影システム。
【請求項１４】
前記予約管理部は、前記複数の制御端末とは別に配され、かつ、前記予約情報が記憶されたメモリを含むことを特徴とする請求項１乃至１３の何れか１項に記載の放射線撮影システム。
【請求項１５】
前記複数の制御端末のそれぞれが、前記予約管理部の機能を備え、
前記１台以上の放射線撮影装置が複数の放射線撮影装置の場合、前記複数の放射線撮影装置のそれぞれは、それぞれの放射線撮影装置の前記予約情報が記憶されたメモリを含むことを特徴とする請求項１乃至１３の何れか１項に記載の放射線撮影システム。
【発明の詳細な説明】
【技術分野】
【０００１】
本発明は、放射線撮影システムに関する。
【背景技術】
【０００２】
特許文献１には、複数の放射線撮影装置と複数の制御端末とを接続した放射線画像システムにおいて、放射線撮影装置が撮影予約を受けた際に、予約された撮影が完了するまで、撮影予約を受けた放射線撮影装置に対する新たな予約を禁止することが示されている。撮影予約を受けた放射線撮影装置に対する新たな撮影予約を禁止することによって、１つの放射線撮影装置に複数の制御端末（ユーザ）からそれぞれ撮影予約されることによって生じうる患者と放射線画像との対応付けを取り違える問題が抑制できる。
【先行技術文献】
【特許文献】
【０００３】
【特許文献１】特開２００８−１６７８４１号公報
【発明の概要】
【発明が解決しようとする課題】
【０００４】
放射線画像の撮影において、ユーザ（医師や技師など）や患者の予定に合わせて予め撮影を行う日時などが決まっている場合がある。特許文献１に示されるシステムは、現時点において使用できる放射線撮影装置を選択することは可能であるが、撮影を行う日時が決定していても予約を行うことができない場合がある。一方、複数のユーザが日時を区切って、それぞれの放射線撮影装置を予約し、使用することが考えられる。しかしながら、放射線画像の撮影において、ユーザの都合などによって予約時間内に撮影が終了しない場合がある。予約時間内に撮影が終了しなかったときに、同じ放射線撮影装置に他のユーザによって次の予約が入っていた場合、後の予約をしていたユーザが、放射線撮影装置を使用できないことを知らずに使用場所に出向いてしまう可能性がある。
【０００５】
本発明は、１台以上の放射線撮影装置を備える放射線撮影システムにおいて効率的に放射線撮影装置を使用するのに有利な技術を提供することを目的とする。
【課題を解決するための手段】
【０００６】
上記課題に鑑みて、本発明の実施形態に係る放射線撮影システムは、放射線画像を取得するための１台以上の放射線撮影装置と、１台以上の放射線撮影装置を制御するための複数の制御端末と、を含む放射線撮影システムであって、放射線撮影システムは、１台以上の放射線撮影装置の予約状況を管理するための予約管理部をさらに含み、予約管理部は、１台以上の放射線撮影装置の稼働状況を確認し、稼働状況と、１台以上の放射線撮影装置の使用が予約された日時および撮影条件を含む予約情報と、に基づいて、１台以上の放射線撮影装置が予約された日時に使用できるか否かを報知することを特徴とする。
【発明の効果】
【０００７】
上記手段によって、１台以上の放射線撮影装置を備える放射線撮影システムにおいて効率的に放射線撮影装置を使用するのに有利な技術を提供する。
【図面の簡単な説明】
【０００８】
【図１】本発明の実施形態に係る放射線撮影システムの構成例を示す図。
【図２】図１の放射線撮影システムの制御端末の操作フロー図。
【図３】図１の放射線撮影システムの制御端末の入力画面の一例を示す図。
【図４】図１の放射線撮影システムの予約管理システムのリスト表示の一例を示す図。
【図５】図１の放射線撮影システムの予約管理システムの動作フロー図。
【図６】図１の放射線撮影システムの制御端末の予約の終了時刻を報知する画面の一例を示す図。
【図７】図１の放射線撮影システムの制御端末の予約の開始時刻を報知する画面の一例を示す図。
【図８】本発明の実施形態に係る放射線撮影システムの構成例を示す図。
【図９】図８の放射線撮影システムの制御端末の操作フロー図。
【図１０】図８の放射線撮影システムの予約管理システムの動作フロー図。
【発明を実施するための形態】
【０００９】
以下、本発明に係る放射線撮影システムの具体的な実施形態を、添付図面を参照して説明する。以下の説明及び図面において、複数の図面に渡って共通の構成については共通の符号を付している。そのため、複数の図面を相互に参照して共通する構成を説明し、共通の符号を付した構成については適宜説明を省略する。また、本発明における放射線には、放射線崩壊によって放出される粒子（光子を含む）の作るビームであるα線、β線、γ線などの他に、同程度以上のエネルギを有するビーム、例えばＸ線や粒子線、宇宙線なども含みうる。
【００１０】
第１の実施形態
図１〜７を参照して、本発明の実施形態による放射線撮影システム１００の構成について説明する。図１は、本発明の第１の実施形態における放射線撮影システム１００の構成例を示す図である。放射線撮影システム１００は、放射線発生部１０１、放射線撮影部１０２、制御端末部１０３を含む。放射線発生部１０１は、放射線制御ユニット１１１と管球１２１とを含む。放射線撮影部１０２は、１台以上の放射線撮影装置１１２の例として、それぞれ放射線画像を取得するための複数の放射線撮影装置１１２（１１２−１〜１１２−ｍ）を含む。本明細書において、複数の放射線撮影装置１１２−１〜１１２−ｍのうち特定の放射線撮影装置を示す場合、放射線撮影装置１１２−１のように記載する。また、複数の放射線撮影装置１１２−１〜１１２−ｍのうち何れの放射線撮影装置であってもよい場合は、放射線撮影装置１１２と記載する。後述する制御端末１１３などにおいても同様である。制御端末部１０３は、ユーザ（医師や放射線技師など）が放射線撮影装置１１２を制御、操作するための複数の制御端末１１３（１１３−１〜１１３−ｎ）を含む。さらに、放射線撮影システム１００は、放射線情報システム（Ｒａｄｉｏｌｏｇｙ  Ｉｎｆｏｒｍａｔｉｏｎ  Ｓｙｓｔｅｍｓ：ＲＩＳ）１０５、画像保存通信システム（Ｐｉｃｔｕｒｅ Ａｒｃｈｉｖｉｎｇ ａｎｄ Ｃｏｍｍｕｎｉｃａｔｉｏｎ Ｓｙｓｔｅｍ：ＰＡＣＳ）１０６、ストレージサーバ１０７、検像ワークステーション（ＷＳ）１０８、予約管理システム１０９を含む。これらの放射線撮影システム１００の各構成は、通信経路１０４を介して互いに接続される。通信経路１０４は、院内ネットワークに限られることはなく、ＲＩＳ１０５、ＰＡＣＳ１０６が、外部のクラウドサービスなどに接続されていてもよい。また、通信経路１０４は、図１に示されるように有線通信であってもよいし、アクセスポイントを介した無線通信であってもよい。また、図１の構成において、１つの放射線発生部１０１が配されるが、複数の放射線発生部１０１が配されていてもよい。また、図１に示される構成において、放射線撮影部１０２は、放射線撮影装置１１２−１〜１１２−ｍの複数の放射線撮影装置１１２を備えるが、放射線撮影装置１１２を１台のみ備える構成であってもよい。
【００１１】
複数の制御端末１１３のそれぞれは、複数の放射線撮影装置１１２のそれぞれと接続し連携することによって、ユーザによる放射線撮影装置１１２の制御・操作が可能となる。放射線撮影装置１１２と制御端末１１３との接続は、例えばＩＥＥＥ８０２．１１規格の無線ＬＡＮ通信によって確立されてもよい。無線ＬＡＮ通信は、通信経路１０４に接続する図示しない無線ＬＡＮアクセスポイント、または、放射線撮影装置１１２または制御端末１１３の何れかがアクセスポイントとしての動作を行い通信するいわゆるインフラストラクチャモードの通信でもよい。また、無線ＬＡＮ通信は、放射線撮影装置１１２と制御端末１１３とが、直接、通信を行うアドホックモードによる通信でもよい。また、放射線撮影装置１１２と制御端末１１３との接続は、無線に限定せず、Ｅｔｈｅｒｎｅｔ（登録商標）などの有線通信であってもよい。また例えば、ＮＦＣ（Ｎｅａｒ  Ｆｉｅｌｄ  Ｃｏｍｍｕｎｉｃａｔｉｏｎ）などのインターフェースによって、制御端末１１３と放射線撮影装置１１２とを接触させることで、連携を開始させることも可能である。
【００１２】
制御端末１１３は、ユーザによる制御端末１１３の操作によって、連携中の放射線撮影装置１１２を制御することができる。放射線撮影装置１１２に放射線を照射することによって得られる放射線画像は、連携する制御端末１１３に転送、表示することで、ユーザが撮影後に放射線画像を確認することが可能となっていてもよい。また、制御端末１１３は、ＲＩＳ１０５から受信した撮影オーダ情報を、撮影後に放射線画像と関連付けしてもよい。さらに、制御端末１１３は、撮影オーダ情報と関連付けられた放射線画像を、放射線画像を保存するストレージサーバ１０７やＰＡＣＳ１０６、画像処理などを実施し診断に供する最終画像を生成するための検像ＷＳ１０８に通信経路１０４を介して出力してもよい。制御端末１１３は、放射線撮影室に設置されたデスクトップＰＣのような据置型の端末でもよいし、回診車に内蔵された組込み型の端末でもよい。さらに、制御端末１１３は、ユーザが各自で所有するタブレットＰＣやスマートフォンのような携帯型の端末でもよい。
【００１３】
予約管理システム１０９は、複数の放射線撮影装置のそれぞれの予約状況を管理するための予約管理部として機能する。予約管理システム１０９には、複数の放射線撮影装置１１２が登録されている。予約管理システム１０９は、登録されている放射線撮影装置１１２に対し、それぞれ放射線撮影装置１１２の予約情報を格納するメモリ１１９を備えうる。また、予約管理システム１０９のメモリ１１９には、ユーザが複数の制御端末１１３のそれぞれを操作する際に登録する、ユーザを識別するためのユーザ情報が登録されている。ユーザ情報が登録されているユーザが、制御端末１１３の何れかを用いて予約管理システム１０９へ接続し、放射線撮影装置１１２の予約を行う。
【００１４】
次に、図２を用いて、ユーザが制御端末１１３を操作して予約管理システム１０９に放射線撮影装置１１２の使用を予約する流れの一例を説明する。まず、ステップＳ２０１において、ユーザは、制御端末１１３にユーザＩＤおよびパスワードを入力し、複数の制御端末１１３のうち何れかの制御端末１１３にログインする。ログインはＲＩＳ１０５や予約管理システム１０９が、ユーザを特定するために行う。
【００１５】
次いで、ステップＳ２０２において、ユーザがログインした制御端末１１３は、ＲＩＳ１０５に接続し、ユーザが入力したオーダ番号に従って検査オーダ情報を取得する。検査オーダ情報は、ＲＩＳ１０５から取得するだけでなく、ユーザが制御端末１１３に直接、入力してもよい。検査オーダ情報は、撮影する部位の大きさや撮影枚数、放射線発生部１０１で発生させる放射線の条件などの撮影条件を含みうる。
【００１６】
次いで、ステップＳ２０３において、制御端末１１３は、予約管理システム１０９への接続を行い、予約画面にて、予約を希望する日時などの予約条件を入力する。図３は、ＲＩＳ１０５からオーダ情報を取得し、予約画面に遷移したときの制御端末１１３の予約画面の一例である。ユーザは、例えば、使用を希望する日時や使用を希望する場所などの情報を入力し、予約ボタンを押下することで、次のステップＳ２０４に進む。この予約画面では、他のユーザの予約情報も含めた予約情報の確認が可能である。例えば、図３に示される予約情報確認ボタンを押下することによって、それぞれの放射線撮影装置１１２の予約状況を確認する画面に遷移し、予約の確認やログインしているユーザの予約をキャンセルすることが可能でありうる。図３に示す画面では、予約の実施、予約情報の確認を１つの予約画面上に表示させているが、画面の表示方法はこれに限らず、それぞれのボタンの表示画面を分割してもよい。
【００１７】
ステップＳ２０４において、予約管理システム１０９は、放射線撮影装置１１２のリスト化処理を行う。具体的には、予約管理システム１０９は、ユーザが放射線撮影装置１１２の使用を希望する時間や検査オーダ情報に含まれる撮影条件などに基づいて、複数の放射線撮影装置１１２のうち使用可能な放射線撮影装置１１２を検索する。次いで、予約管理システム１０９は、ユーザなどによって指定された優先順位に従って、使用可能な放射線撮影装置１１２のリストを制御端末１１３に表示させる。
【００１８】
ステップＳ２０５において、ユーザは、制御端末１１３に表示されたリストの中から任意の放射線撮影装置１１２を選択し予約する。ステップＳ２０４のリスト化処理によって、予約管理システム１０９は、例えば、ユーザに適した放射線撮影装置１１２を制御端末１１３に順番に表示させる。これによって、ユーザが放射線撮影装置１１２を選択する際の煩雑さを抑制できる。複数の検査オーダがある場合、ステップＳ２０２またはステップＳ２０３に戻り、放射線撮影装置１１２を予約するための操作を繰り返す。放射線撮影部１０２が、放射線撮影装置１１２を１台のみ備える構成の場合、ステップＳ２０４のリスト化処理を省略してもよい。この場合、予約管理システム１０９は、ユーザが希望する日時に放射線撮影装置１１２が使用できるか否かの結果を制御端末１１３に表示させてもよい。希望の日時に放射線撮影装置１１２が使用可能な場合、ステップＳ２０５において、ユーザは、例えば、制御端末１１３の予約ボタンを押下し、放射線撮影装置１１２の予約を行う。また、希望の日時に放射線撮影装置１１２が使用できない場合、ユーザは、ステップＳ２０２またはステップＳ２０３に戻り、放射線撮影装置１１２を他の日時に予約するための操作を行う。
【００１９】
図４は、ステップＳ２０５において制御端末１１３に表示されるリストの一例を示す。図４は、ユーザの入力やＲＩＳ１０５から取得した検査オーダ情報から、必要な放射線撮影装置１１２の撮影領域のサイズが１７×１４インチと算出され、必要な内蔵バッテリの残充電量が４０％と算出された場合の例を示す。また、図４には、上述の優先順位の順番が、撮影領域のサイズ、推定残充電量と設定された場合の表示例が示されている。この例では、複数の放射線撮影装置１１２のうち識別ＩＤ：ＦＰＤ−７が最も入力された検査オーダ情報に適していると予約管理システム１０９が判定し、ＦＰＤ−７が最上位に表示されている。リスト上には、それぞれの放射線撮影装置１１２の識別ＩＤのほかに、放射線撮影装置１１２の撮影領域のサイズ、推定される残充電量、直前推定使用場所が表示されている。直前推定使用場所は、ユーザが入力した予約を希望する時間の１つ前の予約の予約情報に登録された放射線撮影装置１１２の使用場所でありうる。それぞれの放射線撮影装置１１２の直前の使用場所が表示されることによって、ユーザは、移動距離の少ない放射線撮影装置１１２を選択することが可能であり、移動の手間が抑制され、効率化が図れる。また、図４に示される表示例において、放射線撮影装置１１２のうち識別ＩＤ：ＦＰＤ−３は、内蔵バッテリを搭載しておらず、外部給電で動作する放射線撮影装置であるため、推定残充電量が「−」と記載されている。また、予約管理システム１０９には、表示された放射線撮影装置１１２の他にも識別ＩＤ：ＦＰＤ−２、ＦＰＤ−６が登録されているが、今回の検査オーダの条件を満たしていないため、ＦＰＤ−２、ＦＰＤ−６は、リスト上には表示されていない例を示している。このリストの中から、ユーザは、１つまたは複数の目的に適う放射線撮影装置１１２を選択し予約を行う。
【００２０】
制御端末１１３に表示される放射線撮影装置１１２のリストの情報はこれに限らず、例えば、放射線撮影装置１１２において実施可能な通信モード、撮影モード、記憶容量残量などのいずれか１つまたは複数を表示するものでもよい。放射線撮影システム１００には、ケーブルによる有線通信や無線での通信など複数の通信モードを備えている放射線撮影装置１１２や、有線または無線の何れかの通信モードのみを備える放射線撮影装置１１２などが混在しうる。さらに、それぞれの放射線撮影装置１１２によって通信速度が異なる場合がある。このため、これらの情報が、実施可能な通信モードの情報として制御端末１１３に表示されてもよい。また、放射線撮影システム１００には、動画像を撮影する撮影モードと静止画像を撮影する撮影モードとの両方の撮影が可能な放射線撮影装置１１２や静止画像の撮影のみが可能な放射線撮影装置１１２などが混在しうる。また、放射線撮影システム１００には、放射線発生部１０１と通信を行い同期して撮影する放射線撮影装置１１２や、放射線発生部１０１と同期せずに放射線の照射開始を放射線撮影装置１１２が検知して撮影する放射線撮影装置１１２が混在しうる。このため、実施可能な撮影モードの情報として、動画像の撮影や静止画像の撮影ができるか否かや、放射線発生部１０１との同期の有無などの情報が、制御端末１１３に表示されてもよい。また、放射線撮影装置１１２は撮影画像を失わずに内部に画像データを保持するための大容量の不揮発性メモリなどの内部記憶容量を備えうる。また、放射線撮影装置１１２は、制御端末１１３へ撮影ごとに画像データを送信せずに、この内部記憶容量に撮り貯め、後でまとめて制御端末１１３へ画像データを送信するような撮影モードを備える場合もある。このため、内部記憶容量の残量が、放射線撮影装置１１２のリストに表示されてもよい。この内部記憶容量は、例えば、ＮＯＲフラッシュメモリやＮＡＮＤフラッシュメモリ、ＳＤカードなどで実現できる。
【００２１】
また、オーダ番号と使用を希望する日時の入力形式は、どのような形式であってもよい。例えば、図３に示されるように、オーダ番号と使用を希望する日時の入力形式は、文字列を直接入力する方法でもよいし、グラフィカルに表示されたアイコンを選択する方式でもよい。また、オーダ番号と使用を希望する日時の入力形式は、プルダウンで選択候補を選ぶようにしてもよい。例えば、グラフィカルなアイコンを用いた使用日時の選択において、予約管理システム１０９に登録されている放射線撮影装置１１２それぞれの使用の予約がされている時間帯をグレーアウト表示する。これによって、その時間帯に該当する放射線撮影装置１１２を予約できないことが、直感的に理解しやすくなる。また例えば、プルダウンでの選択において、それぞれの放射線撮影装置１１２の予約ができない時間帯が表示されないようにすることも可能である。
【００２２】
ユーザは、予約管理システム１０９にて制御端末１１３から任意の放射線撮影装置１１２の予約の完了後、予定された検査オーダを実行するために、制御端末１１３と予約した放射線撮影装置１１２との連携を行う。制御端末１１３から予約した放射線撮影装置１１２への連携は、まず、通信経路１０４を介して、制御端末１１３は予約管理システム１０９へ放射線撮影装置１１２との連携要求を送信する。次いで、予約管理システム１０９は、連携要求を受信すると、制御端末１１３にログインしているユーザ情報とその時点での放射線撮影装置１１２との予約情報を照合する。制御端末１１３にログインしているユーザ情報と予約情報のユーザ情報とが一致した場合、または、予約が当該時間にない場合、予約管理システム１０９は、制御端末１１３へ連携許可を送信し、制御端末１１３と放射線撮影装置１１２とが連携したことを確認する。ユーザ情報が一致せず、別のユーザが該当する放射線撮影装置１１２を予約している場合、予約管理システム１０９は、連携拒否を送信し、制御端末１１３は、放射線撮影装置１１２と連携を行うことができない。
【００２３】
ユーザは、制御端末１１３と放射線撮影装置１１２とが連携した後、検査オーダに基づき必要な放射線画像の撮影を行う。得られた放射線画像のデータは、放射線画像を保存するストレージサーバ１０７や、ＰＡＣＳ１０６、画像処理などを実施し診断に供する最終画像を生成するための検像ＷＳ１０８に、通信経路１０４を介して放射線撮影装置１１２から出力される。これによって、１つの検査オーダの実行が終了する。検査オーダの実行を終了した後、制御端末１１３は、放射線撮影装置１１２との連携を解除し、予約管理システム１０９に連携解除を通知する。
【００２４】
次に、図５を用いて、それぞれの放射線撮影装置１１２の予約の開始時刻になったときの放射線撮影システム１００の動作を詳細に説明する。図５は、本実施形態における、放射線撮影システム１００の動作フロー図である。ここでは、複数の放射線撮影装置１１２のうち放射線撮影装置１１２−１がユーザによって予約され、このユーザが複数の制御端末１１３のうち制御端末１１３−１にログインしているとして説明する。ここで、放射線撮影装置１１２−１が医師によって予約され、医師からの依頼を受けた技師が制御端末１１３−１にログインする場合、技師は、医師が予約した際と同じユーザ情報（ユーザＩＤ）でログインすればよい。また、医師から依頼を受けた技師が放射線撮影装置１１２−１の予約および撮影を行う場合、技師は、同じユーザ情報（ユーザＩＤ）を用いて制御端末１１３−１にログインし、予約および撮影を行えばよい。
【００２５】
まず、ステップＳ５０１において、予約管理システム１０９は、複数の放射線撮影装置１１２のそれぞれの使用が予約された日時および撮影条件を含む予約情報に基づいて、放射線撮影装置１１２−１の予約の開始時刻となったことを判定する。本実施形態において、予約の開始時刻になったことに応じてステップＳ５０１からステップＳ５０２に遷移するとして説明するが、予約の開始時刻よりも前にステップＳ５０１からステップＳ５０２に遷移してもよい。この場合、ステップＳ５０２に遷移する時間は、例えば、予約の開始時刻の所定の時間前であってもよく、例えば、５分前であってもよいし、１０分前であってもよい。このように、ステップＳ５０２に遷移する時間は、ユーザが放射線画像の撮影を開始する時間が予約の開始時刻となるように設定されてもよい。これによって、より放射線画像の撮影の効率が向上しうる。放射線撮影装置１１２−１の予約の開始時刻になると、予約管理システム１０９は、ステップＳ５０２に遷移し、放射線撮影装置１１２−１の稼働状況を確認する。例えば、予約管理システム１０９は、放射線撮影装置１１２−１に稼働状況要求を送信し、稼働状況要求を受信した放射線撮影装置１１２−１は、予約管理システム１０９に稼働状況を送信する。次いで、予約管理システム１０９は、稼働状況と予約情報とに基づいて、放射線撮影装置１１２−１が予約された日時に使用できるか否かを判定する。予約管理システム１０９は、この判定結果をユーザに報知する。
【００２６】
具体的に、予約管理システム１０９は、まず、ステップＳ５０２において受信した稼働状況を確認する。次いで、ステップＳ５０３において、放射線撮影装置１１２−１が予約情報に登録されたユーザが使用する制御端末１１３−１とは別の制御端末１１３と連携中であるか否かを判定する。このとき、放射線撮影装置１１２−１が制御端末１１３と連携していない場合、または、すでに放射線撮影装置１１２−１を予約している制御端末１１３−１と連携している場合、予約管理システム１０９は、ステップＳ５０６へ遷移する。また、Ｓ５０２において受信した稼働状況から、ステップＳ５０３において、予約管理システム１０９が制御端末１１３−１とは別の制御端末１１３が放射線撮影装置１１２−１を制御していると判定した場合について考える。この場合、ステップＳ５０４に遷移し、予約管理システム１０９は、放射線撮影装置１１２−１と連携中の制御端末１１３−１とは別の制御端末１１３（ここでは、制御端末１１３−２とする。）に次の予約があることを示す情報を出力する。放射線撮影装置１１２−１と連携中の制御端末１１３−２は、受信した情報に従って、次の予約があることをユーザに報知する。これによって、予約管理システム１０９は、予約の入っている放射線撮影装置１１２−１と制御端末１１３−２との連携解除をユーザに要求する。図６は、ステップＳ５０４において、連携中の制御端末１１３−２に、次の予約があることを通知し、連携の解除を促す画面の例である。
【００２７】
本実施形態において、次の予約の開始時刻になったことに応じて、放射線撮影装置１１２−１が制御端末１１３−２と連携していた場合、次の予約があることを、制御端末１１３−２を使用するユーザに報知するが、これに限られることはない。例えば、予約管理システム１０９が、予約情報に基づいて、放射線撮影装置１１２−１の予約の終了時刻または終了時刻よりも前に、複数の制御端末１１３のうち放射線撮影装置１１２−１を制御している制御端末１１３−２に、終了時刻の情報を出力する。例えば、予約管理システム１０９は、予約の終了時刻よりも所定の時間前（例えば終了時刻の５分前）に、制御端末１１３−２に終了時刻の情報を出力する。これに従って、放射線撮影装置１１２−１を制御している制御端末１１３−２は、終了時刻の情報をユーザに報知してもよい。
【００２８】
予約管理システム１０９は、ステップＳ５０４において、制御端末１１３−２を用いて次の予約があることをユーザに報知した後、ステップＳ５０５に移行する。予約管理システム１０９は、ステップＳ５０５において、放射線撮影装置１１２−１と制御端末１１３−２との連携が解除されたかどうかを判定し、連携が解除された場合、ステップＳ５０６へ遷移する。また、予約管理システム１０９は、制御端末１１３−２に次の予約があることを示す情報を出力してから所定の時間が経過までの間に、制御端末１１３−２が放射線撮影装置１１２−１の制御を中止しない場合、放射線撮影装置１１２−１が使用できないと判定する。放射線撮影装置１１２−１が使用できないと判定するまでの時間が長い場合、放射線撮影システム１００全体での放射線撮影装置１１２の使用の効率が低下しうるため、判定までの時間は、例えば、５分以下としてもよいし、１０分以下としてもよい。予約管理システム１０９は、予約していた放射線撮影装置１１２−１が使用できないと判定した場合、ステップＳ５０８に遷移する。ステップＳ５０８に遷移した場合については後述する。
【００２９】
ステップＳ５０６において、予約管理システム１０９は、ステップＳ５０２で取得した放射線撮影装置１１２−１の稼働状況と予約情報に登録された検査オーダ情報に含まれる撮影条件とに基づいて、予定されている撮影の条件を満たしているか否かの判定を行う。例えば、予約管理システム１０９によるステップ５０２での放射線撮影装置１１２−１の稼働状況の確認は、放射線撮影装置１１２−１の内蔵バッテリの充電状況の確認を含みうる。この場合、予約管理システム１０９は、ステップＳ５０６において、充電状況と撮影条件とに基づいて放射線撮影装置１１２−１が使用できるか否かを判定する。つまり、現在の予約よりも前の撮影において予定よりも撮影数が多かった場合など、内蔵バッテリの残充電量が検査オーダ情報に含まれる撮影条件に対して不足していないかなどを判定する。また、稼働状況として、予約管理システム１０９は、放射線撮影装置１１２−１が故障していないかや、内部記憶容量の残量が撮影条件に対して不足していないかなどを判定してもよい。稼働状況が、撮影オーダ情報に含まれる撮影条件を満たしていると判定した場合、予約管理システム１０９は、ステップＳ５０７に移行する。稼働状況が、撮影オーダ情報に含まれる撮影条件を満たしていない場合、予約した放射線撮影装置１１２−１が使用できないと判定し、予約管理システム１０９は、ステップＳ５０８に移行する。
【００３０】
予約管理システム１０９は、ステップＳ５０６の判定で放射線撮影装置１１２−１が使用できると判定した場合、ステップＳ５０７において、放射線撮影装置１１２−１を予約している制御端末１１３−１に放射線撮影装置１１２−１が使用できることを出力する。これに従って、制御端末１１３−１は、放射線撮影装置１１２−１が予約された日時に使用できることをユーザに報知する。図７は、ステップＳ５０７において、予約の開始時刻を通知し、ユーザに放射線撮影装置１１２−１との連携を促す場合の制御端末１１３−１の画面の例である。制御端末１１３の画面には、例えば、予約時刻になったことや、放射線撮影装置１１２−１との連携、さらに、予約のキャンセルを行うための画面が表示されうる。
【００３１】
ステップＳ５０９において、予約管理システム１０９は、制御端末１１３−１と放射線撮影装置１１２−１とが連携し、制御端末１１３−１が放射線撮影装置１１２−１の制御を開始したか否かを判定する。上述したユーザからの操作によって制御端末１１３−１と放射線撮影装置１１２−１とが連携すると、ステップＳ５１０において、ユーザは、制御端末１１３−１を用いて放射線撮影装置１１２−１を制御・操作し、放射線画像の撮影を行う。また、放射線撮影装置１１２−１の使用予定がなくなった場合、ユーザは、例えば図７に示されるような予約取消ボタンを押下することによって、予約管理システム１０９は、ステップＳ５１１に遷移し予約情報から該当する予約を削除する。
【００３２】
また、ステップＳ５０９において、予約の開始時刻から所定の時間が経過するまでの間に、放射線撮影装置１１２−１を予約している制御端末１１３−１が、放射線撮影装置１１２−１の制御を開始しない場合を考える。この場合、予約管理システム１０９は、制御端末１１３−１に予約の開始時刻を過ぎていることを示す情報を出力してもよい。これに従って、制御端末１１３−１は、予約の開始時刻を過ぎていることをユーザに報知する。予約の開始時間から所定の時間が経過した後、放射線撮影装置１１２−１が使用できることを再度、報知することによって、予約の開始時刻の報知をユーザが気付かなかった場合でも、ユーザが放射線撮影装置１１２−１を使用できることを認識できる。また例えば、放射線撮影装置１１２−１の使用予定がなくなったユーザが図７に示されるような予約取消ボタンを押下することによって、予約管理システム１０９は、ステップＳ５１１に遷移し、予約情報から該当する予約を削除する。この再報知の動作は、予約されている時間や撮影条件に応じて、複数回行ってもよいし、報知するまでの時間を変化させてもよい。例えば、予約の時間が短い場合は、長い場合と比較して再報知するまでの時間を短くしてもよい。
【００３３】
また、例えば、予約管理システム１０９は、予約の開始時刻から所定の時間が経過するまでの間に、制御端末１１３−１が放射線撮影装置１１２−１の制御を開始しない場合、放射線撮影装置１１２−１の予約を予約情報から削除してもよい。このように、ステップＳ５０９において、放射線撮影装置１１２−１の使用が所定の時間が過ぎても開始されない場合、ステップＳ５１１に遷移し予約を取り消す。これによって、実際に放射線撮影装置１１２−１が使用されていないのにも関わらず、予約が入っているため放射線撮影装置１１２−１を新たに予約できず、使用できないという問題を抑制することができる。
【００３４】
次に、予約管理システム１０９が、ステップＳ５０５、Ｓ５０６において、放射線撮影装置が使用できないと判定した場合について説明する。この場合、予約管理システム１０９は、放射線撮影装置１１２−１を予約している制御端末１１３−１に放射線撮影装置１１２−１が使用できないことを出力する。これに従って、制御端末１１３−１は、放射線撮影装置１１２−１が使用できないことをユーザに報知する。放射線撮影装置１１２−１が使用できない場合、ステップＳ５０８において、予約管理システム１０９は、複数の放射線撮影装置１１２のうち予約情報に登録された撮影条件に従う撮影が行える放射線撮影装置を検索してもよい。予約管理システム１０９は、撮影条件に従う撮影が行える放射線撮影装置（ここでは、放射線撮影装置１１２−３、４とする。）の情報を、制御端末１１３−１に出力し、制御端末１１３−１は、撮影条件に従う撮影が行える放射線撮影装置１１２−３、４をユーザに報知してもよい。撮影条件に従う撮影が行える放射線撮影装置１１２が複数ある場合、予約管理システム１０９は、上述のステップＳ２０４と同様のリスト化処理を行って、優先順位に応じて制御端末１１３−１に表示させてもよい。ユーザは、使用可能な放射線撮影装置１１２−３または放射線撮影装置１１２−４を選択し、これによって、予約管理システム１０９は、ステップＳ５０９に遷移する。適当な放射線撮影装置１１２がない場合、予約管理システム１０９は、ステップＳ５１１に遷移し予約を取り消し、ユーザは、上述したステップＳ２０２またはステップＳ２０３に戻り、放射線撮影装置１１２の予約を行う。
【００３５】
また、放射線撮影部１０２が、放射線撮影装置１１２を１台のみ備える構成において、予約管理システム１０９が、ステップＳ５０５、Ｓ５０６において、放射線撮影装置が使用できないと判定した場合を説明する。この場合、予約管理システム１０９は、放射線撮影装置１１２−１を予約している制御端末１１３−１に放射線撮影装置１１２−１が使用できないことを出力する。これに従って、制御端末１１３−１は、放射線撮影装置１１２−１が使用できないことをユーザに報知する。次いで、予約管理システム１０９は、ステップＳ５１１に遷移し予約を取り消し、ユーザは、上述したステップＳ２０２またはステップＳ２０３に戻り、放射線撮影装置１１２の予約を行う。
【００３６】
本実施形態において、放射線撮影装置１１２の予約は、ユーザ情報と関連付けを行った。つまり、予約情報は、ユーザが複数の制御端末１１３のそれぞれを操作する際に登録（ログイン）するユーザ情報を含む。そして、予約管理システム１０９は、複数の制御端末１１３のうち予約情報のユーザ情報と一致するユーザ情報が登録された制御端末１１３−１を、放射線撮影装置１１２−１を予約している制御端末１１３と判定する。しかしながら、これに限られることはない。放射線撮影装置１１２の予約が、制御端末１１３と関連付けられてもよい。例えば、予約管理システム１０９は、複数の制御端末１１３のうち放射線撮影装置１１２の予約を行った制御端末１１３を放射線撮影装置１１２の予約をしている制御端末１１３と判定してもよい。この場合、予約管理システム１０９や予約情報においてユーザ情報を持つことは不要になる。
【００３７】
本実施形態において、放射線撮影システム１００が上述の予約管理システム１０９を備え、予約管理システム１０９は、制御端末１１３を介してユーザに放射線撮影装置１１２の予約の開始時刻や終了時刻の通知を行う。また、前の検査が長引いてしまうなど予約した放射線撮影装置１１２が使用できない場合であっても、予約管理システム１０９が他の使用可能な放射線撮影装置１１２を検索することによって、ユーザが他の放射線撮影装置１１２を使うなどの対応が取りやすくなる。また、放射線撮影装置１１２が予約されているにもかかわらず、実際には使用されていないといった問題を抑制できる。これによって、複数の放射線撮影装置を備える放射線撮影システムにおいて、効率的に放射線撮影装置を使用することが可能となる。
【００３８】
第２の実施形態
図８〜１０を参照して、本発明の実施形態による放射線撮影システム１００’の構成について説明する。図８は、本発明の第２の実施形態における放射線撮影システム１００’の構成例を示す図である。放射線撮影システム１００’は、上述の第１の実施形態と比較して、複数の放射線撮影装置１１２のそれぞれの予約状況を管理するための予約管理部として機能する予約管理システム１０９を備えていない。予約管理システム１０９以外の放射線撮影システム１００の各構成は、上述の第１の実施形態と同様であってもよいため、ここでは説明を省略する。また、本実施形態においても、放射線撮影部１０２は、複数の放射線撮影装置１１２−１〜１１２−ｍを備えるとして説明するが、上述の第１の実施形態と同様に、放射線撮影部１０２が備える放射線撮影装置１１２は１台であってもよい。
【００３９】
本実施形態において、複数の放射線撮影装置１１２のそれぞれは、それぞれの放射線撮影装置１１２の予約された日時を含む予約情報が記憶されたメモリ１２２を含む。また、本実施形態において、複数の制御端末１１３のそれぞれの制御端末１１３には、複数の放射線撮影装置１１２のそれぞれの予約状況を管理するための予約管理部の一部として機能する予約管理ツールがインストールされている。上述の第１の実施形態では、制御端末１１３から予約管理部として機能する予約管理システム１０９にログインし放射線撮影装置１１２の予約を行った。一方、本実施形態では、制御端末１１３上の予約管理ツールと放射線撮影装置１１２のメモリ１２２に記憶された予約情報を用いて予約する。つまり、本実施形態において、制御端末１１３と放射線撮影装置１１２とが協働することによって、上述の第１の実施形態の予約管理システム１０９と同様に予約管理部として機能する。また、ステップＳ２０３に示したリスト化処理も、制御端末１１３にインストールされた予約管理ツールが実施する。
【００４０】
次に、図９を用いて、ユーザが制御端末１１３を操作して予約管理システム１０９に放射線撮影装置１１２の使用を予約する流れの一例を説明する。なお、上述の第１の実施形態と同様の操作、処理を行う場合は、詳細な説明を省略する。
【００４１】
まず、ステップＳ９０１において、ユーザは、制御端末１１３の予約管理ツールを起動させ、ログインを行う。ユーザがログインをすると、上述の第１の実施形態と同様に、図３に示されるような予約画面が表示される。次いで、ステップＳ９０２において、ユーザがログインした制御端末１１３は、ＲＩＳ１０５に接続し、ユーザが入力したオーダ番号に従って検査オーダ情報を取得する。
【００４２】
次いで、Ｓ９０３において、制御端末１１３は、それぞれの放射線撮影装置１１２に予約情報要求を送信し、それぞれの放射線撮影装置１１２がメモリ１２２に記憶している予約情報を取得する。続いて、ステップＳ９０４において、ユーザは、予約管理ツールの予約画面にて、使用を希望する日時などの予約条件を入力する。
【００４３】
ステップＳ９０５において、予約管理ツールは、上述の第１の実施形態のステップＳ２０４と同様に、放射線撮影装置１１２のリスト化処理を行う。予約管理ツールは、ユーザなどによって指定される優先順位に基づいた、放射線画像を撮影する希望の日時に使用可能な放射線撮影装置１１２をリスト表示する。
【００４４】
ステップＳ９０６において、ユーザはリストの中から予約可能な放射線撮影装置１１２を選択し予約する。ステップＳ９０５のリスト化処理によって、ユーザに適した放射線撮影装置１１２が順番に表示されるため、ユーザが放射線撮影装置１１２を選択する際の煩雑さが解消される。ステップＳ９０６において、ユーザによって予約する放射線撮影装置１１２が選択されると、予約管理ツールは、選択された放射線撮影装置１１２に予約情報を転送する。選択された放射線撮影装置１１２は、予約情報をメモリ１２２に記憶する。複数の検査オーダがある場合、ステップＳ９０２またはステップＳ９０３に戻り、放射線撮影装置１１２を予約するための操作を繰り返す。
【００４５】
ユーザは、予約管理ツールにて制御端末１１３から放射線撮影装置１１２の予約の完了後、予定された検査オーダを実行するために、制御端末１１３と予約した放射線撮影装置１１２との連携を行う。予約の開始時刻になると、ユーザの操作によって制御端末１１３は、通信経路１０４を介して、制御端末１１３から予約した放射線撮影装置１１２へ連携要求を送信する。放射線撮影装置１１２は、連携要求を受信すると、制御端末１１３からの連携要求と、放射線撮影装置１１２内のメモリ１２２に記憶されている予約情報を照合する。制御端末１１３にログインしているユーザ情報と予約情報のユーザ情報とが一致した場合、または、予約が当該時間にない場合、放射線撮影装置１１２は制御端末１１３の予約管理ツールに連携許可を送信する。ユーザ情報が一致せず、別のユーザが該当する放射線撮影装置１１２を予約している場合、放射線撮影装置１１２は連携拒否を送信し、制御端末１１３は、放射線撮影装置１１２と連携を行うことができない。
【００４６】
ユーザは、制御端末１１３と放射線撮影装置１１２とが連携した後、検査オーダに基づき必要な放射線画像の撮影を行う。得られた放射線画像のデータは、放射線画像を保存するストレージサーバ１０７や、ＰＡＣＳ１０６、画像処理などを実施し診断に供する最終画像を生成するための検像ＷＳ１０８に、通信経路１０４を介して放射線撮影装置１１２から出力される。これによって、１つの検査オーダの実行が終了する。検査オーダの実行を終了した後、制御端末１１３は、放射線撮影装置１１２に連携解除を送信し、放射線撮影装置１１２との連携を解除する。放射線撮影装置１１２は、連携解除を受信すると、制御端末１１３に対して連携解除承認を送信し、放射線撮影装置１１２のメモリ１２２に記憶されている予約情報を実施済みとする。
【００４７】
次に、図１０を用いて、それぞれの放射線撮影装置１１２の予約の開始時刻になったときの放射線撮影システム１００’の動作を詳細に説明する。図１０は、本実施形態における放射線撮影システム１００’の動作フロー図である。ここでは、複数の放射線撮影装置１１２のうち放射線撮影装置１１２−１がユーザによって予約され、このユーザが複数の制御端末１１３のうち制御端末１１３−１にログインしているとして説明する。
【００４８】
ステップＳ１００１において、放射線撮影装置１１２−１は、放射線撮影装置１１２−１のメモリ１２２−１に記憶された予約情報に基づいて、予約の開始時刻となったか否かを判定する。予約の開始時間になったと判定した場合、放射線撮影システム１００は、ステップＳ１００２に遷移する。このとき、放射線撮影装置１１２−１は、予約の開始時間になったことを制御端末１１３−１の予約管理ツールに送信してもよい。本実施形態において、予約の開始時間になったことに応じてステップＳ１００１からステップＳ１００２に遷移するが、予約の開始時間よりも前にステップＳ１００１からステップＳ１００２に遷移してもよい。
【００４９】
ステップＳ１００２において、放射線撮影装置１１２−１は、予約情報において放射線撮影装置１１２−１を予約している制御端末１１３−１とは別の制御端末１１３と連携中であるかを判定する。このとき、放射線撮影装置１１２−１が制御端末１１３と連携していない場合、または、制御端末１１３−１と連携している場合、放射線撮影システム１００は、ステップＳ１００５へ遷移する。また、ステップＳ１００２において、放射線撮影装置１１２−１が、制御端末１１３−１とは別の制御端末１１３（ここでは、制御端末１１３−２とする。）が放射線撮影装置１１２−１を制御していると判定した場合について考える。この場合、ステップＳ１００３に遷移し、連携中の制御端末１１３−２に、次の予約があることを通知し、連携解除を要求する。この動作は、上述の第１の実施形態のステップＳ５０４と同様でありうる。
【００５０】
次いで、放射線撮影装置１１２−１は、ステップＳ１００４において、上述のステップＳ５０５と同様に、制御端末１１３−２との連携が解除されたかどうかを判定し、解除された場合、ステップＳ１００５へ移行する。また、連携が解除されない場合、例えば、制御端末１１３−１の予約管理ツールが、ステップＳ１００３に遷移してから所定の時間が経ても制御端末１１３−２が放射線撮影装置１１２―１と連携している場合、ステップＳ１００７に遷移する。
【００５１】
ステップＳ１００５において、制御端末１１３−１の予約管理ツールは、放射線撮影装置１１２−１から放射線撮影装置１１２−１の稼働状況を受信する。次いで、制御端末１１３−１の予約管理ツールは、放射線撮影装置１１２−１の稼働状況と予約情報に登録された検査オーダ情報に含まれる撮影条件とに基づいて、予定されている撮影の条件を満たしているか否かの判定を行う。例えば、制御端末１１３−１の予約管理ツールは、放射線撮影装置１１２−１のバッテリの残充電量が撮影条件に対して不足していないかを判定する。稼働状況が撮影オーダ情報に含まれる撮影条件を満たしていると制御端末１１３−１の予約管理ツールが判定した場合、ステップＳ１００６に移行する。稼働状況が撮影オーダ情報に含まれる撮影条件を満たしていない場合、予約した放射線撮影装置１１２−１が使用できないと制御端末１１３−１の予約管理ツールは判定し、ステップＳ１００７に移行する。
【００５２】
Ｓ１００６に遷移すると、放射線撮影装置１１２−１のメモリ１２２に記憶された予約情報をもとに、放射線撮影装置１１２−１を予約している制御端末１１３−１に放射線撮影装置１１２−１が使用できることを出力する。これに従って、制御端末１１３−１は、放射線撮影装置１１２−１が予約された日時に使用できることをユーザに報知する。ユーザは、この報知に応じて、放射線撮影装置１１２−１と制御端末１１３−１とを連携させる。また、ユーザは、放射線撮影装置１１２−１の使用の必要がなくなっていた場合、放射線撮影装置１１２−１の使用をキャンセルしてもよい。上述の第１の実施形態と同様に、制御端末１１３−１は、図７に示されるような画面を表示し、ユーザに放射線撮影装置１１２−１との連携を促してもよい。
【００５３】
ステップＳ１００８において、制御端末１１３−１の予約管理ツールは、制御端末１１３−１と放射線撮影装置１１２−１とが連携し、制御端末１１３−１が放射線撮影装置１１２−１の制御を開始したか否かを判定する。制御端末１１３−１と放射線撮影装置１１２−１とが連携した場合、ステップＳ１００９において、ユーザは、放射線画像の撮影など検査オーダを実行する。ユーザが予約をキャンセルした場合、ステップＳ１０１０に遷移し、放射線撮影装置１１２−１は、メモリ１２２に記憶された予約情報から該当する予約を削除する。
【００５４】
ステップＳ１００４において、放射線撮影装置１１２−１と制御端末１１３−２との連携が解除されなかった場合、ステップＳ１００７に遷移する。また、ステップＳ１００５にて、稼働状況が撮影オーダ情報に含まれる撮影条件を満たしていない場合、ステップＳ１００７に遷移する。ステップＳ１００７は、上述の第１の実施形態のステップＳ５０８と同様に動作しうる。
【００５５】
本実施形態によれば、予約管理システム１０９がない放射線撮影システム１００’においても、放射線撮影装置１１２と制御端末１１３とが協働することによって、予約の管理を行うことができる。本実施形態においても、上述の第１の実施形態と同様に、複数の放射線撮影装置１１２を含む放射線撮影システム１００’において、効率的に放射線撮影装置１１２を使用することが可能となる。
【００５６】
以上、本発明に係る実施形態を示したが、本発明はこれらの実施形態に限定されないことはいうまでもなく、本発明の要旨を逸脱しない範囲で、上述した実施形態は適宜変更、組み合わせが可能である。
【符号の説明】
【００５７】
１００、１００’：放射線撮影システム、１１２：放射線撮影装置、１１３：制御端末
【図１】
2019187520.tif 000003
【図２】
2019187520.tif 000004
【図３】
2019187520.tif 000005
【図４】
2019187520.tif 000006
【図５】
2019187520.tif 000007
【図６】
2019187520.tif 000008
【図７】
2019187520.tif 000009
【図８】
2019187520.tif 000010
【図９】
2019187520.tif 000011
【図１０】
2019187520.tif 000012